【手続補正書】
【提出日】平成18年7月11日(2006.7.11)
【手続補正１】
【補正対象書類名】明細書
【補正対象項目名】全文
【補正方法】変更
【補正の内容】
【書類名】      明細書
【発明の名称】  遊技部材及び遊技機
【特許請求の範囲】
【請求項１】
周面に遊技球を受入れる受入部が形成され、回転軸により回転される回転移送体と、
遊技球が流入する開口部を備え、前記回転移送体の外周に沿って形成された案内壁と、
前記開口部に設けられ、前記回転移送体の前記回転軸と直交する面により構成された平面部と
を備えた遊技機の遊技部材において、
前記平面部には、遊技球が前記受入部と前記開口部との間に挟まれるのを防止する突起が設けられていることを特徴とする遊技部材。
【請求項２】
前記突起は、前記平面部の表面に円弧状に設けられ、その一方の端部から前記回転軸までの距離が、前記開口部の側縁から前記回転軸までの距離と略同一となっていることを特徴とする請求項１に記載の遊技部材。
【請求項３】  前記開口部の前記回転移送体の回転方向側の縁部が、遊技球を前記突起方向へ案内する方向に傾いた状態になっていることを特徴とする請求項１又は２に記載の遊技部材。
【請求項４】  請求項１乃至３の何れかに記載の遊技部材を備えたことを特徴とする遊技機。
【発明の詳細な説明】
【０００１】
【発明の属する技術分野】
本発明は、遊技部材及び遊技機に関し、詳細には、第３種始動口での球噛みを防止することができる遊技部材及び当該遊技部材を備えた遊技機に関する。
【０００２】
【従来の技術】
従来、図１４に示すように、所謂第３種に属するパチンコ機の遊技盤１５０上の略中央には、図柄表示装置１５５が設けられており、図柄表示装置１５５の下方には普通図柄作動口１５６が設けられている。さらに、普通図柄作動口１５６の下方には特定入賞口１５７が設けられており、図柄表示装置１５５の右側には第３種始動口１２０が設けられている。図１５に示すように、第３種始動口１２０は遊技盤１５０に取り付けられる平面部１２１と、平面部１２１の表面に設けられ、その取り付け面側が開放された箱型形状の案内壁１２２とを備えている。また、案内壁１２２の上部には、遊技球１４０を案内壁１２２内に流入させるための開口部１２２ａが設けられている。さらに、案内壁１２２内には回転移送体１２３が設けられている。回転移送体１２３は、略円柱形状を有し、その側面には、遊技球１４０を受入れるための正面視略半円型の受入部１２３ａが設けられている。
【０００３】
図１４に示すパチンコ機では、図示外の遊技球が普通図柄作動口１５６を通過すると、図柄表示装置１５５に表示される図柄が所定時間変動表示されて、その後停止し、その停止図柄が所定の図柄に揃ったとき、特定入賞口１５７が開放されるようになっている。さらに、特定入賞口１５７内の特定領域（図示外）を遊技球が通過すると権利が発生し、遊技者に有利な入賞しやすい権利発生状態（特定遊技状態）となる。そして、この特定遊技状態において、第３種始動口１２０に遊技球が入賞すると、大入賞口１３０が開放され、所定時間の経過、あるいは大入賞口１３０への所定個数の遊技球の入賞後に、大入賞口１３０が閉じられることになる。また、次に新たな遊技球が第３種始動口１２０に入賞すると、大入賞口１３０が再び開放されるようになっており、この大入賞口１３０の開成から閉成までを所定回数繰り返した後、特定遊技状態は終了するようになっている。
【０００４】
尚、回転移送体１２３は、その側面に設けられた受入部１２３ａが、真上以外の方向を向いた状態で、遊技球１４０が案内壁１２２の開口部１２２ａに到達すると、遊技球１４０が回転移送体１２３の側面に乗るようになっている。そして、回転移送体１２３が反時計回り方向に回転して、受入部１２３ａが上方を向くと、遊技球１４０は、当該受入部１２３ａに受入れられて第３種始動口１２０内へ案内されるようになっている。
【０００５】
【発明が解決しようとする課題】
しかしながら、上記のような従来のパチンコ機では、図１５に示すように、遊技球１４０が流下して、案内壁１２２の開口部１２２ａに到達したときに、回転移送体１２３の側面に設けられた受入部１２３ａが上方を向いた状態である場合、遊技球１４０が回転移送体１２３の側面に乗らずに、開口部１２２ａに飛び込む状態となり、平面部１２１の表側面と、案内壁１２２の開口部１２２ａの側縁と、回転移送体１２３の受入部１２３ａの端部との間に偶然挟み込まれてしまう、所謂球噛みの現象が起きることがあった。この場合には、第３種始動口１２０に遊技球を入賞させることができなくなるという問題点があった。また、回転移送体１２３の回転が強制的に止められるので、回転移送体１２３を回転させるモータが焼き付いてしまうという問題点もあった。さらに、遊技者が一旦遊技を中断して、遊技場の係員に挟み込まれた遊技球を除去してもらわなければいけないという問題点もあった。
【０００６】
本発明は、上記課題を解決するためになされたものであり、第３種始動口での球噛みを防止することができる遊技部材及び遊技機を提供することを目的とする。
【０００７】
【課題を解決するための手段】
上記目的を達成するために、請求項１に係る発明の遊技部材は、周面に遊技球を受入れる受入部が形成され、回転軸により回転される回転移送体と、遊技球が流入する開口部を備え、前記回転移送体の外周に沿って形成された案内壁と、前記開口部に設けられ、前記回転移送体の前記回転軸と直交する面により構成された平面部とを備えた遊技機の入賞装置において、前記平面部には、遊技球が前記受入部と前記開口部との間に挟まれるのを防止する突起が設けられていることを特徴とする構成となっている。
【０００８】
この構成の遊技部材では、回転移送体の周面に形成された受入部に受入れられた遊技球が、平面部と受入部と開口部との間に挟まれても、平面部に設けられた突起により、遊技球が速やかに上方又は下方へ逃がされるようになっているので、遊技球が平面部と受入部と開口部との間に挟まれて止まってしまうのを防止することができる。
【０００９】
また、請求項２に係る発明の遊技部材では、請求項１に記載の遊技部材の構成に加えて、前記突起は、前記平面部の表面に円弧状に設けられ、その一方の端部から前記回転軸までの距離が、前記開口部の側縁から前記回転軸までの距離と略同一となっていることを特徴とする。
【００１０】
この構成の遊技部材では、請求項１に記載の発明の作用に加えて、突起は平面部の表面に円弧状に設けられているので、遊技球は、平面部と受入部と開口部との間に挟まれても、突起に当接した状態となるので、突起により上方又は下方へ逃がされることになる。遊技球は、下方へ逃がされると、回転移送体の回転と共に、案内壁に形成された開口部から遊技部材内に滑らかに流入することができる。また、遊技球は、上方へ逃がされると、遊技部材の外部に弾き出されるので、開口部近傍で、遊技球が各部材に挟み込まれるのを防止することができる。
【００１１】
また、請求項３に係る発明の遊技部材では、請求項１又は２に記載の遊技部材の構成に加えて、前記受入部は、前記回転移送体の周面に形成された窪み部であり、前記窪み部の前記回転移送体の回転方向と反対側の縁部が、遊技球を前記突起方向へ案内する方向に傾いた状態になっており、前記突起は、その前記回転移送体の回転方向側の端部から前記回転軸までの距離が、前記回転方向側とは反対側の端部から前記回転軸までの距離よりも短くなっていることを特徴とする
【００１２】
この構成の遊技部材では、請求項１又は２に記載の発明の作用に加えて、回転移送体の受入部は、遊技球を突起方向へ案内する方向に傾いた状態に窪んでいるので、その形状に合わせて、突起は、その回転移送体の回転方向側の端部から回転軸までの距離が、前記回転方向側とは反対側の端部から回転軸までの距離よりも短くなっている。それにより、平面部と受入部と開口部との間に挟まれた遊技球は、突起方向へ押されて、突起により下方へ逃がされると、受入部に滑らかに流入することができる。また、受入部の回転移送体の回転方向と反対側の縁部が、遊技球を突起方向へ案内する方向に傾いた状態となっているので、遊技球は、突起方向へ押されて、突起により上方又は下方へ逃がされ易くなる。
【００１３】
また、請求項４に係る発明の遊技部材では、請求項１乃至３の何れかに記載の遊技部材の構成に加えて、前記開口部の前記回転移送体の回転方向側の縁部が、遊技球を前記突起方向へ案内する方向に傾いた状態になっていることを特徴とする
【００１４】
この構成の遊技部材では、請求項１乃至３の何れかに記載の発明の作用に加えて、開口部の回転移送体の回転方向側の縁部が、遊技球を突起方向へ案内する方向に傾いた状態となっているので、遊技球は、突起方向へ押されて、突起により上方又は下方へ逃がされ易くなる。
【００１５】
また、請求項５に係る発明の遊技機は、請求項１乃至４の何れかに記載の遊技部材を備えたことを特徴とする構成となっており、この構成の遊技機では、請求項１乃至４の何れかに記載の発明の作用を得ることができる。
【００１６】
【発明の実施の形態】
以下、本発明の一実施の形態について図面を参照して説明する。まず、パチンコ機１の機械的構成について、図面を参照して説明する。図１はパチンコ機１の正面図である。尚、パチンコ機１は、第３種に属するものであるので、後述するように、第３種始動口２０及びその下方に設けられた大入賞口２１を備えている。図１に示すように、パチンコ機１の正面の上半分の部分には、略正方形の遊技盤２が設けられ、遊技盤２には、ガイドレール３で囲まれた略円形の遊技領域４が設けられている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー１８が設けられている。
【００１７】
次に、遊技盤２の機械的構造について図２を参照して説明する。図２はパチンコ機１の遊技盤２の正面図である。遊技盤２には、前述のようにガイドレール３で囲まれた略円形の遊技領域４が設けられている。遊技領域４の略中央には、液晶画面を備えた図柄表示装置８が設けられている。また、図柄表示装置８の右上方には電飾風車９が設けられ、左上方にも電飾風車１０が設けられている。電飾風車１０の下部には、普通電動役物始動口２３が設けられている。さらに、図柄表示装置８の右側には第３種始動口２０が設けられ、第３種始動口２０の下方には、大入賞口２１が設けられている。また、図柄表示装置８の下側には、普通電動役物１５が設けられており、その普通電動役物１５には、普通電動役物始動口２３への遊技球の入賞により開放される開閉部材１６，１７が設けられている。この開閉部材１６，１７が通常状態より大きく所定時間開くことにより、普通電動役物１５へ遊技球が入賞し易くなる。
【００１８】
そして、このように構成された遊技盤２の遊技領域４に遊技球（図示外）が発射され、当該遊技球が普通電動役物始動口２３へ入賞することにより、開閉部材１６，１７が開成されて、遊技球が普通電動役物１５内に案内され、当該普通電動役物１５内に設けられた図示外の回転体の特定の孔に入賞することにより、図示外の案内通路を経て、当該遊技球が、図示外の大当たり判定図柄作動口に停留する。そして、図柄表示装置８に表示される図柄が変動表示後に停止し、その停止図柄が所定の図柄に揃ったとき、遊技者に有利な入賞しやすい権利発生状態（特定遊技状態）となる。そして、この特定遊技状態において、第３種始動口２０に遊技球が入賞すると、大入賞口２１が開放され、所定時間の経過、あるいは大入賞口２１への所定個数の遊技球の入賞後に、大入賞口２１が閉じられることになる。また、次に新たな遊技球が第３種始動口２０に入賞すると、大入賞口２１が再び開放されるようになっており、この大入賞口２１の開成から閉成までを所定回数（例えば１６回等）繰り返した後、特定遊技状態は終了する。この後、高確率状態が２回継続するようになっている。
【００１９】
次に、図３乃至図１１を参照して、第３種始動口２０の構造について説明する。ここで、図３は、第３種始動口２０の斜視図であり、図４は右側面図、図５は平面図、図６は背面図、図７は正面図、また、図８は、図７のＡ−Ａ線矢視方向断面図である。また、図９は、第３種始動口２０を構成する固定部材３０の正面図であり、図１０は斜視図であり、図１１は、第３種始動口２０の分解斜視図である。図３及び図１１に示すように、第３種始動口２０は、遊技盤２（図２参照）に固定される略扇形の固定部材３０に、各部材が設けられて構成されている。詳細には、固定部材３０の表側には、案内壁３１と回転移送体３２とが設けられ、裏側には、発光ダイオード基板３３と裏側カバー３４とモータ３５とモータ押さえ金具３６と磁気センサ３７とが設けられている。各部材の説明は後述する。
【００２０】
図９に示すように、固定部材３０は、合成樹脂で一体成型されており、下方に位置する１つの頂点と、当該頂点から左右斜め上方へ伸びた２つの斜辺と、２つの斜辺の末端間に形成された、上側に凸の円弧形状の上辺とを有する略扇形形状の平面部３０ａを備えている。また、平面部３０ａの下側の頂点近傍には、円の上部がＶ字型に切り欠かれた形状の窪み（図示外）が設けられており、その窪み内に３つの円形の貫通孔４１，４２，４３がＶ字型に並んで穿設されている。また、貫通孔４１と貫通孔４２とを結ぶライン、貫通孔４２と貫通孔４３とを結ぶラインは、それぞれ前記２つの斜辺と略平行となっている。さらに、前記窪みには、窪みと同一形状の飾り９０が嵌合して貼設されている。飾り９０は、３つの貫通孔４１〜４３を覆う部分が透明になっており、そこから、固定部材３０の裏側に設けられた発光ダイオード７８，７９，８０が発した光が視認できるようになっている。
【００２１】
また、平面部３０ａの下側の頂点近傍に設けられた、円の上部がＶ字型に切り欠かれた窪み（図示外）の上側には、略ホームベース型の貫通孔４４が設けられている。また、平面部３０ａの左側には、平面部３０ａの左側斜辺と略平行な２つの長辺を有する略長方形の貫通孔４５が設けられており、右側には、平面部３０ａの右側斜辺と略平行な２つの長辺を有する略長方形の貫通孔４６が設けられている。貫通孔４５，４６は、固定部材３０を正面視した状態で左右対称となるように各々設けられている。また、貫通孔４５の周縁には、平面部３０ａの表面３０ｂから、裏側へ僅かに凹んだ凹部４５ａが形成されており、貫通孔４６の周縁にも、平面部３０ａの表面３０ｂから、裏側へ僅かに凹んだ凹部４６ａが形成されている。そして、凹部４５ａ，４６ａには、後述する案内壁３１の一部が嵌合するようになっている。
【００２２】
さらに、平面部３０ａの上部略中央には、遊技盤２の裏側へ入賞球を排出するための貫通孔４７が設けられており、貫通孔４７は、右側の貫通孔４６の一部とつながった状態となっている。貫通孔４７は、略長方形形状を有し、その左辺が左側に凸の半円弧状となっており、当該半円部４７ａの中心が、固定部材３０の左右中央部に位置するようになっている。そして、半円部４７ａの中心を、後述する回転移送体３２の軸心が貫通することになる。また、平面部３０ａの上部縁端近傍には、その扇形の上辺に沿って、４つの貫通孔４８〜５１が均等に穿設されている。左右両端の貫通孔４８，５１には、固定部材３０を遊技盤２に固定する際に、図示外の固定用のスクリューが表側から挿入されるようになっている。そして、それら２つの貫通孔の間の貫通孔４９，５０には、固定部材３０に案内壁３１を取り付ける際に、取付用スクリュー８１，８２が裏側から挿入されるようになっている。
【００２３】
また、平面部３０ａの表面３０ｂの、貫通孔４９と貫通孔５０との間の略中央には、円弧状の突起５５が設けられている。突起５５は、突出量が約１ｍｍで、平面部３０ａの上辺と略同一半径の円弧状となっている。また、突起５５の左側端部５５ａから貫通孔４７の半円部４７ａの中心までの距離は、突起５５の右側端部５５ｂから貫通孔４７の半円部４７ａの中心までの距離よりも短くなっている。即ち、突起５５は、正面視で左側に傾いた形状を有している。そして、突起５５の左側端部５５ａは、平面部３０ａに設けられた、案内壁３１の取付用の貫通孔４９と図９の上下方向で略同一な位置にある。また、突起５５の右側端部５５ｂは、平面部３０ａに設けられた、案内壁３１の取付用の貫通孔５０よりも、図９の上下方向で上方に位置している。
【００２４】
そして、図１１に示すように、固定部材３０の表側には、案内壁３１と回転移送体３２とが設けられるようになっている。回転移送体３２は、略円柱形状の遊技球受入部材３２ａと、遊技球受入部材３２ａの底部の中心部に設けられた軸部材３２ｂとから構成されている。軸部材３２ｂは、遊技球受入部材３２ａよりも半径の小さい円柱形状を有し、その中心部に、後述するモータ３５の出力軸３５ａが嵌入される軸孔（図示外）が設けられている。さらに、軸部材３２ｂの側面にはねじ孔（図示外）が設けられており、当該ねじ孔には、軸部材３２ｂの軸孔に嵌入されたモータ３５の出力軸３５ａを固定するイモねじ８８が螺入されることになる。また、遊技球受入部材３２ａの側面には、正面視略半円型の受入部３２ｃが設けられており、遊技球受入部材３２ａは、受入部３２ｃで遊技球（図示外）を保持できるようになっている。そして、回転移送体３２は、その軸部材３２ｂが固定部材３０に設けられた貫通孔４７に挿入されて、固定部材３０の裏側から、軸部材３２ｂの軸孔にモータ３５の出力軸３５ａが嵌入されることになる。詳細には、軸部材３２ｂは、貫通孔４７の半円弧状の左辺（図９参照）の円の中心部を通るように、貫通孔４７に挿入される。
【００２５】
また、案内壁３１は、底部が開放された背の低い略三角柱形状を有しており、正面視逆三角形の状態で固定部材３０に取り付けられるようになっている。また、案内壁３１の上面５６には、円形の開放部５６ａが設けられており、開放部５６ａから回転移送体３２の遊技球受入部材３２ａを視認できるようになっている。そして、案内壁３１を正面視で逆三角形の状態にしたとき、その左側の斜面３１ｂの底部側端部からは、斜面３１ｂに対して略垂直に、略長方形のレンズ６１が凸設されており、右側の斜面３１ｃの底部側端部からは、斜面３１ｃに対して略垂直に、略長方形のレンズ６２が凸設されている。また、斜面３１ｂと斜面３１ｃとの間に形成された上面３１ａの略中央には、底部から引き続いて開放された略正方形の開口部５１が設けられている。さらに、左側の斜面３１ｂと右側の斜面３１ｃとが交わる部分、即ち下側の頂点の底部側端部には、下方へ向かって凸設された凸部（図示外）が設けられている。
【００２６】
そして、案内壁３１は、正面視で、各々の面が固定部材３０の平面部３０ａの各々の辺と略平行な状態で、固定部材３０に取り付けられる。詳細には、まず最初に、案内壁３１の下側頂点に設けられた凸部（図示外）を、固定部材３０の平面部３０ａに設けられた略ホームベース型の貫通孔４４に嵌合させ、その状態から、案内壁３１の左側のレンズ６１を、平面部３０ａの左側の貫通孔４５の周縁に形成された凹部４５ａに嵌合させ、案内壁３１の右側のレンズ６２を、平面部３０ａの右側の貫通孔４６の周縁に形成された凹部４６ａに嵌合させることにより、案内壁３１が固定部材３０に取り付けられるようになっている。さらに、固定部材３０に設けられた貫通孔４９，５０に、その裏側からスクリュー８１，８２を挿入して、案内壁３１のスクリュー孔（図示外）に螺入することにより、案内壁３１が固定部材３０に固定されることになる。また、このとき、固定部材３０と案内壁３１との間に、回転移送体３２が回転可能に格納された状態となっている。
【００２７】
また、図３乃至図６に示すように、固定部材３０の裏側には、発光ダイオード基板３３と裏側カバー３４とモータ３５とモータ押さえ金具３６と磁気センサ３７とが設けられるようになっているので、平面部３０ａの裏側には、固定部材３０に各部材を取り付けるための複数のスクリュー保持部及びリブが設けられている。平面部３０ａの裏面３０ｃには、貫通孔４８，５１の各々の近傍にスクリュー保持部７０，７１が設けられている。スクリュー保持部７０，７１は、固定部材３０を背面視したときに、固定部材３０に設けられた貫通孔４８〜５１と共に、その平面部３０ａの上辺に沿うラインを形成する位置に設けられている。そして、スクリュー保持部７０，７１は、共に高さの等しい略円柱形状であり、その端面にスクリュー孔（図示外）を備えている。
【００２８】
また、図４及び図１０に示すように、平面部３０ａに穿設された貫通孔４６の側縁の内、平面部３０ａの斜辺側の側縁からは、所定厚を有する略長方形のリブ７２が、裏側へ向かって平面部３０ａに対して垂直に凸設されている。リブ７２は、その高さ（図４での左右幅）が、前記スクリュー保持部７０，７１と等しくなっている。また、図示しないが、貫通孔４６と一対の貫通孔４５の斜辺側の側縁からも、裏側へ向かって平面部３０ａに対して垂直にリブが凸設されており、当該リブはリブ７２と略同一形状となっている。
【００２９】
また、平面部３０ａの裏側の、左側の貫通孔４５近傍には、上壁７３ａと側壁７３ｂと下壁（図示外）とからなる、モータ３５を覆うためのモータカバー７３が設けられている。モータ３５は、平面部３０ａの左右中央部に設けられるようになっており、モータカバー７３の側壁７３ｂは、平面部３０ａの貫通孔４６側に形成されている。さらに、モータカバー７３の上壁７３ａの上側近傍には、略円柱形状のスクリュー保持部７４が設けられている。スクリュー保持部７４は、平面部３０ａに対して略垂直に凸設されており、その端面には、固定部材３０に裏側カバー３４を取り付けるための、スクリュー８３が螺入されるスクリュー孔（図示外）が設けられている。
【００３０】
また、平面部３０ａを背面視したとき、スクリュー保持部７４と左右対称な位置には、モータ押さえ金具３６を固定部材３０に取り付けるためのスクリュー８６を保持するスクリュー保持部７５が設けられている。また、スクリュー保持部７５の下方には、スクリュー保持部７５と同じ役割のスクリュー保持部７６が設けられており（図８参照）、スクリュー保持部７５とスクリュー保持部７６とは、上下一直線上に位置するように設けられている。
【００３１】
次に、図１１を参照して、固定部材３０の裏側に設けられる部材について説明する。図１０に示すように、固定部材３０の裏側には、複数の発光ダイオードを搭載した発光ダイオード基板３３と、固定部材３０の裏側を覆い、第３種始動口２０に流入した遊技球（図示外）を案内する裏側カバー３４と、固定部材３０の表側に設けられた回転移送体３２を回転させるモータ３５と、モータ３５を固定部材３０に固定するためのモータ押さえ金具３６とが設けられている。また、裏側カバー３４には、第３種始動口２０への遊技球の流入を検知する磁気センサ３７が設けられるようになっている。
【００３２】
発光ダイオード基板３３は、略Ｖ字型形状を有し、その左右上端部には、発光ダイオード基板３３を固定部材３０に取り付けるために、スクリュー８４，８５が挿入される貫通孔３３ａ，３３ｂが設けられている。そして、発光ダイオード基板３３の下部には発光ダイオード７８〜８０が略Ｖ字型に並んで設けられており、左側上部には発光ダイオード９１〜９３が、右側上部には発光ダイオード９４〜９６がそれぞれ設けられている。そして、貫通孔３３ａに挿入されたスクリュー８４が、固定部材３０の裏側のスクリュー保持部７０のスクリュー孔に螺入され、後述する裏側カバー３４に設けられた貫通孔３４ｄに挿入されたスクリュー８４が、さらに貫通孔３３ｂに挿入され、そして、固定部材３０の裏側のスクリュー保持部７１のスクリュー孔に螺入されて、発光ダイオード基板３３が固定部材３０に取り付けられることになる。
【００３３】
また、裏側カバー３４は、発光ダイオード基板３３とモータ３５とを覆うような筐体形状を有している。詳細には、固定部材３０の平面部３０ａの裏側に設けられたモータカバー７３の後方（裏側）に連接してモータ３５を覆うモータカバー部３４ａと、発光ダイオード基板３３に当接して発光ダイオード基板３３を覆う基板カバー部３４ｂとからなっている。また、モータカバー部３４ａには、図１１の上下方向に貫通した貫通孔（図示外）が設けられており、当該貫通孔には磁気センサ３７が設けられ、磁気センサ３７が第３種始動口２０に流入した遊技球を検知するようになっている。さらに、モータカバー部３４ａ近傍には、貫通孔３４ｃ，３４ｄが設けられており、貫通孔３４ｃにスクリュー８３を挿入し、スクリュー８３を固定部材３０裏側のスクリュー保持部７４のスクリュー孔に螺入し、貫通孔３４ｄにスクリュー８５を挿入し、スクリュー８５を固定部材３０裏側のスクリュー保持部７１のスクリュー孔に螺入して、裏側カバー３４を固定部材３０に取り付けるようになっている。
【００３４】
また、モータ３５は、略円柱形状を有し、その前端部（図１１の左端部）には合成樹脂製の略円柱形状のギヤボックス３５ｂが設けられている。そして、モータ３５に設けられたギヤボックス３５ｂからは、出力軸３５ａが突出している。モータ３５の、ギヤボックス３５ｂ内でのモータ軸（図示外）の回転は、ギヤボックス３５ｂ内に設けられた複数の歯車（図示外）により、出力軸３５ａに伝えられるようになっている。また、ギヤボックス３５ｂの上部及び下部には貫通孔３５ｃ，３５ｄが設けられている。この貫通孔３５ｃ，３５ｄには、スクリュー８６，８７が挿入され、スクリュー８６，８７が固定部材３０裏側のスクリュー保持部７５，７６の各スクリュー孔に螺入されて、モータ３５が固定部材３０に取り付けられるようになっている。また、このとき、円形のモータ押さえ部３６ａと、２つの略長方形の取付部３６ｂ，３６ｂとからなる略コの字型のモータ押さえ金具３６が、モータ３５と共に固定部材３０に取り付けられることになる。詳細には、モータ押さえ金具３６の取付部３６ｂ，３６ｂの各端部に設けられた貫通孔３６ｃ，３６ｄにスクリュー８６，８７が最初に挿入され、その後ギヤボックス３５ｂの上部及び下部に設けられた貫通孔３５ｃ，３５ｄにスクリュー８６，８７が挿入されて、モータ３５とモータ押さえ金具３６とが共に固定部材３０に取り付けられるようになっている。
【００３５】
そして、以上のように構成された各部材は、固定部材３０の平面部３０ａの裏側に順番に取り付けられることになる。まず、発光ダイオード基板３３に設けられた貫通孔３３ａにスクリュー８４を挿入し、固定部材３０裏側のスクリュー保持部７０のスクリュー孔にスクリュー８４を螺入する。次に、裏側カバー３４に設けられた貫通孔３４ｄにスクリュー８５を挿入し、固定部材３０裏側のスクリュー保持部７１のスクリュー孔にスクリュー８５を螺入する。このとき、スクリュー８５は、裏側カバー３４の貫通孔３４ｄだけでなく、発光ダイオード基板３３に設けられた貫通孔３３ｂも貫通しているので、スクリュー保持部７１のスクリュー孔にスクリュー８５を螺入することで、発光ダイオード基板３３が固定部材３０に取り付けられる。また、裏側カバー３４に設けられた貫通孔３４ｃにスクリュー８３を挿入し、固定部材３０裏側のスクリュー保持部７４のスクリュー孔にスクリュー８３を螺入すると、裏側カバー３４が固定部材３０に取り付けられることになる。
【００３６】
次に、モータ３５とモータ押さえ金具３６とを、各スクリューにより固定部材３０に取り付け、そして、裏側カバー３４に磁気センサ３７を取り付ける。また、固定部材３０の平面部３０ａの表側では、モータ３５の出力軸３５ａを回転移送体３２の軸部３２ｂに設けられた図示外の軸孔に嵌入して、さらに軸部３２ｂの側面に設けられたねじ孔（図示外）にイモねじ８８を螺入して、モータ３５の出力軸３５ａに回転移送体３２を固定する。そして、回転移送体３２を覆うように、固定部材３０に案内壁３１を取り付ける。また、このとき、回転移送体３２は、モータ３５の回転により、図７での反時計回り方向に回転することになる。
【００３７】
以上のように構成された第３種始動口２０に、特定遊技状態で、遊技盤２の遊技領域４に発射された遊技球（図示外）が入賞すると、第３種始動口２０の下方に設けられた大入賞口２１が開放される。図３及び図８に示すように、遊技球は、固定部材３０に取り付けられた案内壁３１の開口部５１から、第３種始動口２０内へ流入する。また、固定部材３０の平面部３０ａの表面３０ｂの、開口部５１近傍には、円弧状の突起５５が設けられている。
【００３８】
従って、図１３に示すように、開口部５１から第３種始動口２０内へ遊技球５９が流入する際に、開口部５１の側端部５１ａ（図３参照）と回転移送体３２の受入部３２ｃの端部３２ｃ１との間に遊技球５９が挟まれた場合も、遊技球５９が突起５５の先端部に当接するので、平面部３０ａの表面３０ｂに面で押さえられることがない。即ち、遊技球５９は、突起５５の非常に小さい頂上部に当接するので、そこから矢印ａもしくは矢印ｂ方向へ自然に逃がされることになる。そして、遊技球５９は、各部材に挟まれることをなく受入部３２ｃに案内され、第３種始動口２０内に流入することになる。従って、遊技球５９が、開口部５１の側端部５１ａと、回転移送体３２の受入部３２ｃの端部３２ｃ１と、平面部３０ａの表面３０ｂとの間に挟まれて動かなくなってしまうのを防止できる。
【００３９】
さらに、円弧状の突起５５は、固定部材３０を正面視したとき、その左側端部５５ａの高さが、右側端部５５ｂの高さよりも低くなっており、傾斜した状態となっている。従って、回転移送体３２が正面視反時計回りに回転する際に、遊技球が突起５５の先端部に常に当接するようになっており、それにより、遊技球は、各部材に挟まれることなく第３種始動口２０内へ滑らかに流入することができる。そして、遊技球は、回転移送体３２の遊技球受入部材３２ａに保持される。このとき、回転移送体３２の遊技球受入部材３２ａの受入部３２ｃは、固定部材３０の表側から裏側へ向かって傾斜した形状となっているので、遊技球受入部材３２ａに保持された遊技球は、固定部材３０の裏側下方へ案内されるようになっている。そして、遊技球が磁気センサ３７を通過すると、第３種始動口２０の下方に設けられた大入賞口２１が開放されることになる。
【００４０】
以上説明したように、本実施の形態の第３種始動口２０では、円弧状の突起５５が設けられており、当該突起５５は、遊技球（図示外）の第３種始動口２０への流入口近傍、即ち案内壁３１の開口部５１近傍に位置している。従って、開口部５１から第３種始動口２０内へ遊技球が流入する際に、開口部５１の側端部５１ａと回転移送体３２の受入部３２ｃの端部３２ｃ１との間に遊技球が挟まれた場合も、平面部３０ａの表面３０ｂは、面で遊技球を押さえることがない。従って、遊技球が、開口部５１の側端部５１ａと、回転移送体３２の受入部３２ｃの端部３２ｃ１と、平面部３０ａの表面３０ｂとの間に挟まれてしまうのを防止できる。
【００４１】
さらに、円弧状の突起５５は、固定部材３０を正面視したとき、その左側端部５５ａの高さが、右側端部５５ｂの高さよりも低くなっており、傾斜した状態となっている。従って、回転移送体３２が反時計回りに回転する際に、遊技球が突起５５の先端に常に当接した状態となるので、遊技球が各部材に挟み込まれることなく、第３種始動口２０内へ滑らかに流入することができる。また、回転移送体３２の遊技球受入部材３２ａの受入部３２ｃは、固定部材３０の表側から裏側へ向かって傾斜した形状となっているので、遊技球受入部材３２ａに保持された遊技球は、滑らかに固定部材３０の裏側下方へ案内されることになる。
【００４２】
尚、本実施の形態は上記の実施の形態に限られず、各種の変形が可能である。例えば、図１４に示すように、案内壁３１の開口部５１の側縁の内、回転移送体３２の回転方向側側縁を、固定部材３０の表面側から裏面側に向かって傾斜させ、開口部５１を、表面側に上底を、裏面側に下底を有する略台形形状に形成しても良い。この場合、遊技球５９は、突起５５方向に押され易くなる。そして、遊技球が、突起５５により上方に逃がされると、回転移送体３２の上方へ弾き出され、また、下方へ逃がされると、回転移送体３２の受入部３２ｃに受け入れられて遊技部材２０内に滑らかに流入することになる。また、平面部３０ａの表面３０ｂの開口部近傍に、球噛みを防止するために設けられるものは、突起に限られるものではない。
【００４３】
【発明の効果】
以上説明したように、請求項１に係る発明の遊技部材は、回転移送体の周面に形成された受入部に受入れられた遊技球が、平面部と受入部と開口部との間に挟まれても、平面部に設けられた突起により、遊技球が速やかに上方又は下方へ逃がされるようになっているので、遊技球が平面部と受入部と開口部との間に挟まれて止まってしまうことがない。
【００４４】
また、請求項２に係る発明の遊技部材では、請求項１に記載の発明の効果に加えて、突起は平面部の表面に円弧状に設けられているので、遊技球は、平面部と受入部と開口部との間に挟まれても、突起に当接した状態となるので、突起により上方又は下方へ逃がされることになる。遊技球は、下方へ逃がされると、回転移送体の回転と共に、案内壁に形成された開口部から遊技部材内に滑らかに流入することができる。また、遊技球は、上方へ逃がされると、遊技部材の外部に弾き出されるので、開口部近傍で、遊技球が各部材に挟み込まれるのを防止することができる。
【００４５】
また、請求項３に係る発明の遊技部材では、請求項１又は２に記載の発明の効果に加えて、回転移送体の受入部は、遊技球を突起方向へ案内する方向に傾いた状態に窪んでいるので、その形状に合わせて、突起は、その回転移送体の回転方向側の端部から回転軸までの距離が、前記回転方向側とは反対側の端部から回転軸までの距離よりも短くなっている。それにより、平面部と受入部と開口部との間に挟まれた遊技球は、突起方向へ押されて、突起により下方へ逃がされると、受入部に滑らかに流入することができる。また、受入部の回転移送体の回転方向と反対側の縁部が、遊技球を突起方向へ案内する方向に傾いた状態となっているので、遊技球は、突起方向へ押されて、突起により上方又は下方へ逃がされ易くなる。従って、遊技球が各部材に挟み込まれるのをより確実に防止することができる。
【００４６】
また、請求項４に係る発明の遊技部材では、請求項１乃至３の何れかに記載の発明の効果に加えて、開口部の回転移送体の回転方向側の縁部が、遊技球を突起方向へ案内する方向に傾いた状態となっているので、遊技球は、突起方向へ押されて、突起により上方又は下方へ逃がされ易くなる。従って、遊技球が各部材に挟み込まれるのをより確実に防止することができる。
【００４７】
また、請求項５に係る発明の遊技機は、請求項１乃至４の何れかに記載の遊技部材を備えているので、請求項１乃至４の何れかに記載の発明の効果を得ることができる。
【図面の簡単な説明】
【図１】
図１は、パチンコ機１の正面図である。
【図２】
図２は、パチンコ機１の遊技盤２の正面図である。
【図３】
図３は、第３種始動口２０の斜視図である。
【図４】
図４は、第３種始動口２０の右側面図である。
【図５】
図５は、第３種始動口２０の平面図である。
【図６】
図６は、第３種始動口２０の背面図である。
【図７】
図７は、第３種始動口２０の正面図である。
【図８】
図８は、図７のＡ−Ａ線矢視方向断面図である。
【図９】
図９は、固定部材３０の正面図である。
【図１０】
図１０は、固定部材３０の斜視図である。
【図１１】
図１１は、第３種始動口２０の分解斜視図である。
【図１２】
図１２は、第３種始動口２０の斜視図である。
【図１３】
図１３は、図１２のＢ−Ｂ線矢視方向断面図である。
【図１４】
図１４は、遊技部材の変形例を示す斜視図である。
【図１５】
図１５は、従来のパチンコ機の遊技盤１５０の正面図である。
【図１６】
図１６は、従来の第３種始動口１２０の正面図である。
【符号の説明】
１    パチンコ機
２    遊技盤
２０    第３種始動口
３０    固定部材
３０ａ  平面部
３０ｂ  表面
３１    案内壁
３２    回転移送体
３２ａ  遊技球受入部材
３２ｂ  軸部材
３２ｃ  受入部
３３    発光ダイオード基板
３４    裏側カバー
３５    モータ
３６    モータ押さえ金具
３７    磁気センサ
５１    開口部
５５    突起